Podtech/llm-jp-corpus-v4-ja_patent huggingface dataset:
(57)【要約】      （修正有）【課題】注射の痛みから患者を解放することができる極細注射針を提供する。【解決手段】注射針を細くすることで注射の痛みを軽減できるので、注射針を必要にして充分な外径寸法である５００〜２０００ナノメータにておさえて製作する。【選択図】図１
0003151969.tif 000002
【実用新案登録請求の範囲】
【考案の詳細な説明】
｛０００１｝
（技術分野）  本考案は注射針に関するものである。これまでの注射針は本当に痛かった。注射針に工夫を凝らして痛くない細い針を創ることである
｛０００２｝。
（背景技術）  現在、医療現場で使用されている注射針の直径は、細いものでも０．３ミリメートルである。
（考案の開示）
（考案が解決しようとする課題）
｛０００３｝
注射される時の痛みを無くする事を課題とする。
（課題を解決するための手段）
｛０００４｝
東京か大阪の町工場でこのナノニードルを作れる職人が存在する。専門職人の協力があれば、必要にして充分な細い注射針は作成可能である。
｛０００５｝
ナノニードルの使用により患者様は注射の痛みから解放されるであろう。
（考案の効果）
｛０００６｝
本考案により（０００５）に述べた効果がえられる。
（物件名）    図面    略
0003151969.tif 000003
【手続補正書】
【提出日】平成21年1月17日(2009.1.17)
【手続補正１】
【補正対象書類名】実用新案登録請求の範囲
【補正対象項目名】全文
【補正方法】変更
【補正の内容】
【実用新案登録請求の範囲】
【請求項１】
注射針を必要にして充分な太さの細さにして、注射の痛みを無くする物である。
（ナノ・ニードル）（ナノとは１０億分の１という意味）。
【手続補正２】
【補正対象書類名】明細書
【補正対象項目名】全文
【補正方法】変更
【補正の内容】
【考案の詳細な説明】
【技術分野】
【０００１】  本考案は注射針に関するものである。これまでの注射針は本当に痛かった。注射針に工夫を凝らし手痛くない細い針を創ることである。
【背景技術】
【０００２】  現在、医療現場で使用されている注射針の直径は、細いものでも０．３ミリメートルである。
【考案の開示】
【考案が解決使用とする課題】
【０００３】  注射される時の痛みを無くする事を課題とする。
【課題を解決するための手段】
【０００４】  東京か大阪の町工場で、このナノ・ニードルを作れる職人が存在する。専門職人の協力があれば、必要にして充分な細い注射針は作成可能である。
【０００５】  ナノ・ニードルの使用により患者様は注射の痛みから解放されるであろう。
【考案の効果】
【０００６】  本考案により｛０００５｝に述べた効果がえられる。」
【図面の簡単な説明】
【図１】ナノ・ニードルの側面拡大図である。
【手続補正３】
【補正対象書類名】図面
【補正対象項目名】全図
【補正方法】追加
【補正の内容】
【図１】
0003151969.tif 000004
【手続補正書】
【提出日】平成21年4月20日(2009.4.20)
【手続補正１】
【補正対象書類名】実用新案登録請求の範囲
【補正対象項目名】全文
【補正方法】変更
【補正の内容】
【実用新案登録請求の範囲】
【請求項１】
針の外径５００〜２０００ナノメートルのナノニードル。
(57)【要約】      （修正有）【課題】航空機、鉄道、バス、自動車などの乗り物に上着掛けのフックを取り付けるトラベラーズフックを提供する。【解決手段】航空機に乗っていてくつろぎたい時、上着を脱ぐと、フックが無く、膝の上に乗せれば暑くて困った経験が有る筈である。ＪＲの特急列車にはフックがついていて非常に便利である。航空機であれば前部座席の背又は壁に安全に留意した折りたたみ式の小さなフックを付ければよい。ＪＲ普通列車、バス、自動車など、あらゆる乗り物にこのフックを付けると快適な旅行が出来る。【選択図】図１
0003151968.tif 000002
【実用新案登録請求の範囲】
【考案の詳細な説明】
【技術分野】
【０００１】本考案は小さなブックに関する
【背景技術】
【０００２】従来の航空機、鉄道、バス、自動車などの乗り物に上着掛けのフックが取り付けてなかった。
【考案の開示】
【考案が解決しようとする課題】
【０００３】しかし、これでは不便である。
【課題を解決するための手段】
【０００４】そこで航空機、電車、自動車、バスなど、各種の乗り物の安全な所に、上着掛け用折り畳み式フックを付ける。非常に便利である。
【考案の効果】
【０００５】くつろいで旅行ができる。
｛図面｝        略
｛要約書｝
誰でも、航空機に乗っていてくつろぎたい時、上着を脱ぐ。と、フックが無く、膝の上にのせれば暑くて困った経験がある筈である。小生の利用するＪＲ日豊線の特急列車にはフックがついている。これは非常に便利である。だから、航空機であれば前部座席の背または壁に安全に留意した折りたたみ式の小さなフックをつければよい。ＪＲ普通列車、バす、自動車どあらゆる乗り物に、このフッくをつければよい。快適な旅行ができる筈である。
0003151968.tif 000003
【手続補正書】
【提出日】平成21年1月30日(2009.1.30)
【手続補正１】
【補正対象書類名】実用新案登録請求の範囲
【補正対象項目名】全文
【補正方法】変更
【補正の内容】
【実用新案登録請求の範囲】
【請求項１】
このフックを取り付ける乗り物の全てを請求の範囲とする。
【手続補正２】
【補正対象書類名】明細書
【補正対象項目名】全文
【補正方法】変更
【補正の内容】
【考案の詳細な説明】
【技術分野】
【０００１】  本考案は小さなフックに関する。
【背景技術】
【０００２】  従来の航空機、鉄道、バス、自動車などの乗り物には上着掛けのフックが取り付けられていなかった。
【考案の開示】
【考案が解決しようとする課題】
【０００３】  しかし、これでは不便である。
【課題を解決する為の手段】
【０００４】  そこで航空機、鉄道、自動車、バスなど、各種の乗り物の安全な所に、上着掛け用折り畳み式フックを取り付ける。非常に便利である。
【考案の効果】
【０００５】  くつろいで旅行が出来る。
【図面の簡単な説明】
【０００６】
【図１】図１は各乗り物につけたフックの立体図である。航空機の場合は前部座席の右端に折りたたみ式フックを祖取り付ける。座席が窓側なら窓の手前の壁にフックをつける。鉄道の場合は窓の手前の壁にフックを付ける。自動車の場合は車内中央両側の壁にフックを付ける。バスの場合は近くの壁にフックをつける。
【符号の説明】▲１▼  フック．
【手続補正３】
【補正対象書類名】図面
【補正対象項目名】全図
【補正方法】追加
【補正の内容】
【図１】
0003151968.tif 000004
【手続補正書】
【提出日】平成21年4月20日(2009.4.20)
【手続補正１】
【補正対象書類名】実用新案登録請求の範囲
【補正対象項目名】全文
【補正方法】変更
【補正の内容】
【実用新案登録請求の範囲】
【請求項１】
各種の乗り物に取り付けることが可能であって、Ｌ字形の上着をかけるための、折りたたみ式のトラベラースフック。
(57)【要約】      （修正有）【課題】髪をとかした後、ブラシにまとわり付く毛を容易に除去できるヘアブラシを提供する。【解決手段】ヘアブラシ本体にグラシンペーパーをセットし、中央上部芯紙にてグラシンペーパーを固定する。使用前にペーパー１０枚をセットする。髪をとかした後は、中央上部芯紙の取っ手をはずし、グラシンペーパーを１枚はがして毛を除去する。再び中央上部芯紙にて残りのグラシンペーパーを固定しておく。【選択図】図１
0003151966.tif 000002
【実用新案登録請求の範囲】
【請求項１】
ヘア．ブラシ本体にグラシン紙ペーパーを装置し、容易に使用
簡単抜け毛取り、ペーパー１０枚をセットし、上部中央の紙の芯の取っ手付を下へ使用後１枚は、はずし易く、切り取り、下の部分固定
【考案の詳細な説明】
【技術分野】
【０００１】ここから書き始めてください。
抜け毛取り．ヘア．ブラシ
【背景技術】
【０００２】髪をとかした後．ブラシにまつわり付く毛を除去。
【考案の開示】
【考案が解決しようとする課題】
【０００３】日常使用する物であり、簡単に処理出来る。
【課題を解決するための手段】
【０００４】ヘア．ブラシに．グラシン紙ペーパーを付け凸起部分をカット．ペーパーをはがし易くする。
【考案の効果】
【０００５】所と抜け毛と共にペーパーの処理が楽。
【考案を実施するための最良の形態】
【０００６】安全そのもので．プラスチック製
【実施例】
【０００７】プラスチック．ヘア．ブラシ．にペーパー．装置し突起部分をカット。
【産業上の利用可能性】
【０００８】手軽に使えて安価
【図面の簡単な説明】
【０００９】
【図１】
【符号の説明】
【００１０】１  ヘア．ブラシ本体
２  グラシン．ペーパー
３  両端突起部分円形カットしてペーパー装置
４  ペーパーカット部分
５  中央上部芯紙テープ付下へ固定
６  テープで軽く押え
７  点線の所で切り取り
８  ヘア．ブラシ突起
【図１】
0003151966.tif 000003
【手続補正書】
【提出日】平成20年7月17日(2008.7.17)
【手続補正１】
【補正対象書類名】実用新案登録請求の範囲
【補正対象項目名】全文
【補正方法】変更
【補正の内容】
【実用新案登録請求の範囲】
【請求項１】
▲１▼  ヘア、ブラシ本体に１０枚のグラシン紙ペーパーを設置し。
▲２▼  ヘア、ブラシ本体に紙テープにて固定され、上記グラシン紙ペーパー上に設けられた、芯を備える。
▲３▼  グラシン紙ペーパーが、可能である事を特徴とする。ヘア、ブラシ。
【手続補正書】
【提出日】平成20年12月17日(2008.12.17)
【手続補正１】
【補正対象書類名】実用新案登録請求の範囲
【補正対象項目名】全文
【補正方法】変更
【補正の内容】
【実用新案登録請求の範囲】
【請求項１】
ヘアブラシ本体に１０枚のグラシン紙ペーパーを設置し、ヘアブラシ本体に紙テープにて固定され、上記グラシン紙ペーパー上に設けられた芯を備え、グラシン紙ペーパーをはがす事が可能である事を特徴とするヘアブラシ。
【手続補正書】
【提出日】平成21年3月11日(2009.3.11)
【手続補正１】
【補正対象書類名】明細書
【補正対象項目名】０００９
【補正方法】変更
【補正の内容】
【０００９】
【図１】上正面図
【図２】横図
【手続補正２】
【補正対象書類名】図面
【補正対象項目名】全図
【補正方法】変更
【補正の内容】
【図１】
0003151966.tif 000004
【図２】
0003151966.tif 000005
(57)【要約】      （修正有）【課題】シャワーヘッド内部に脱着可能な安価且つ、リサイクル可能なフィルターを提供する。【解決手段】フィルター２を布繊維で縫合し、シャワーヘッド１内部へ装着することにより簡単且つ、安価なフィルターを提供できる。また、従来除去が難しい発癌物質であるトリハロメタンを竹炭を使用することにより除去し、安全な水を利用することが出来る。【選択図】図１
0003151967.tif 000002
【実用新案登録請求の範囲】
【請求項１】
（１）
シャワーヘッド内部に交換可能の竹炭を使用したアクアフィルターを装着することにより水の浄化をする。
（２）前記アクアフィルターとは、塩素、トリハロメタンの除去を主目的とし、竹炭を使用することにより、より多孔質の特性を利用し錆、ごみ等の不純物を除去できる
【考案の詳細な説明】
【技術分野】
【０００１】この発明は、シャワーヘッド内部に脱着可能な安価且つ、リサイクル可能なフィルターに関る。
【背景技術】
【０００２】現在の浄水フィルターは木炭でのろ紙タイプのフィルターであり、その効能では除去できない成分がある。
従来では外部設置、シャワーヘッドのフィルターがあるが高価且つリサイクルが出来ない構造になっている。
【考案の開示】
【考案が解決しようとする課題】
【０００３】しかしながら、従来フィルターでは、トリハロメタンは除去出来ず、活性炭以外の物質で除去していたが、本製品では竹炭を使用し、尚且つリサイクルし再使用可能である。
【課題を解決するための手段】
【０００４】以上の課題を解決するために、第一発明は、フィルターを成型するために従来の樹脂プラスティック製品は使用せず、布繊維で竹炭を覆う構造であり、現在のシャワーヘッドの内部に納まるようにフレキシブルなリング形状に装着できるよう布繊維で成型し、フィルター交換を安価に提供できる。
第二発明は、竹炭再利用の為に煮沸、自然乾燥により浄化作用の回復が可能である
第三発明は、従来除去が困難であったトリハロメタンを除去できることにある。
【考案の効果】
【０００５】第一発明、第二発明、によりフィルター交換、導入におけるコストを安価に出来、尚且つ再使用可能である。
また、現在流通しているシャワーヘッドのどの形にも複数使用することにより装着可能である。
第三発明により、発癌物質であるトリハロメタン、塩素を除去できる
【考案を実施するための最良の形態】
【０００６】この発明の装着図を、図１に示す。
シャワーヘッド内部へリング状にして装着できる。
【実施例】
【０００７】この実施形態によれば、複数個使用によりすべてのサイズのシャワーヘッド内部へ装着可能であり、交換も簡単に行える。
【図面の簡単な説明】
【０００８】
【図１】この発明の実施形態、全体及びアクアフィルター本体の図である。
【図２】竹炭をチップ化する前の図である。
【符号の説明】
【０００９】１  シャワーヘッド装着図
２  アクアフィルター本体
３  竹炭
【図１】
0003151967.tif 000003
【図２】
0003151967.tif 000004
【手続補正書】
【提出日】平成20年10月24日(2008.10.24)
【手続補正１】
【補正対象書類名】実用新案登録請求の範囲
【補正対象項目名】全文
【補正方法】変更
【補正の内容】
【実用新案登録請求の範囲】
【請求項１】
シャワーヘッド内部に交換可能の竹炭を使用したアクアフィルターを装着することにより、塩素、トリハロメタンの除去を主目的とし、更に竹炭の多孔質特性を利用し錆、ごみ等の不純物を除去できる、浄水フィルターである。
【手続補正書】
【提出日】平成21年2月2日(2009.2.2)
【手続補正１】
【補正対象書類名】実用新案登録請求の範囲
【補正対象項目名】全文
【補正方法】変更
【補正の内容】
【実用新案登録請求の範囲】
【請求項１】
汎用シャワーヘッド内部に交換可能の竹炭チップで作成されたアクアフィルターを装着することにより水の塩素、トリハロメタンの除去を主目的とし、水質（ペーハーレベル）を中性に調整し、更に竹炭の多孔質特性を利用し錆、ごみ等の不純物を除去できることを特徴に持つ、アクアフィルター。
【手続補正書】
【提出日】平成21年4月14日(2009.4.14)
【手続補正１】
【補正対象書類名】実用新案登録請求の範囲
【補正対象項目名】全文
【補正方法】変更
【補正の内容】
【実用新案登録請求の範囲】
【請求項１】
竹炭チップを布繊維で覆う構造を有し、シャワーヘッド内部に納まるようフレキシブル装着が出来るよう、リング状に装着し、なお且つ簡単に交換できるよう布繊維で成型したことを特徴とする、アクアフィルター。
(57)【要約】      （修正有）【課題】基礎の火打ち梁を入れ、アンカーボルトで緊結することにより土台と基礎の一体化を図り、耐震性を向上させた耐震基礎を提供する。【解決手段】横揺れに対する建物強度の向上を図るため、基礎に火打ち梁を入れ、さらに火打ち土台とアンカーボルトで緊結する構造とする。【選択図】図２
0003151411.tif 000002
【実用新案登録請求の範囲】
【請求項１】
隅部に火打ち梁を入れた基礎
【考案の詳細な説明】
【技術分野】
【０００１】  従来の建物の火打ち土台は基礎と別になっていたが、本考案は基礎に火打ち梁を入れ、アンカーボルトで緊結することにより土台と基礎の一体化を図る。
【背景技術】
【０００２】  従来の基礎の隅部には火打ち梁はなかった。
【考案の開示】
【考案が解決しようとする課題】
【０００３】  水平方向の揺れに対して、従来の基礎より耐震強度を上げる。
【課題を解決するための手段】
【０００４】  基礎に火打ち梁を入れることにより、横揺れに対して強度を上げる。更にその基礎の火打ち梁と、火打ち土台とをアンカーボルトで緊結することで建物の耐震強度を上げる。
【考案の効果】
【０００５】  土台、建物を地震の横揺れに対して、基礎に火打ち梁を入れることで変形・破壊を防ぎ耐震強度が増す。
【図面の簡単な説明】
【０００６】
【図１】基礎の火打梁の立面図である。
【図２】基礎と土台をアンカーボルトで緊結した立面図である。
【図３】梁、土台、アンカーボルトの断面図である。
【符号の説明】
【０００７】  １  火打ち梁
２  布基礎
３  火打ち土台
４  土台
５  アンカーボルト
【図１】
0003151411.tif 000003
【図２】
0003151411.tif 000004
【図３】
0003151411.tif 000005
【手続補正書】
【提出日】平成21年2月12日(2009.2.12)
【手続補正１】
【補正対象書類名】実用新案登録請求の範囲
【補正対象項目名】全文
【補正方法】変更
【補正の内容】
【実用新案登録請求の範囲】
【請求項１】
隅部に火打ち梁を入れアンカーボルトで火打ち土台と緊結する建物の耐震基礎
(57)【要約】      （修正有）【課題】簡単に結束機を取り付けられ、作業能率を向上する野菜結束機の台を提供する。【解決手段】所定の幅、長さ、厚みの板状の台２に野菜結束機を取り付ける切込み２ａがあり、台の表面には目盛４と、移動や固定が可能な定木板８を備え、台は合成樹脂による形成加工であることを特徴とする。【選択図】図１
0003151412.tif 000002
【実用新案登録請求の範囲】
【請求項１】
所定の幅、長さ、厚みの板状の台に野菜結束機を取り付ける切込みがあり、台の表面には目盛と、移動や固定が可能な定木板を備える事を特徴とする野菜結束機の台。
【請求項２】
台は合成樹脂による形成加工を特徴とする。請求項１に記載の野菜結束機の台。
【考案の詳細な説明】
【技術分野】
【０００１】本考案は、野菜結束機の台に関するものであり、簡単に結束機を台に取り付けられ、また、作業能率を向上するものである。
【背景技術】
【０００２】通常、手動結束機は器具本体だけが販売されており、作業机等に取り付け工作は個人の工夫に任せられていた。
【考案の開示】
【考案が解決しようとする課題】
【０００３】結束機を机の上に置き作業した場合は、机と結束テープの位置に高低があり、野菜が安定せずに結束しづらかった。よって、高低差を無くす為机等に切り込み工作をして取り付けるが作業机等はアルミや樹脂加工で硬く、また、金巻等があり工作しづらかった。
【課題を解決するための手段】
【０００４】この課題を解決するために結束作業に必要な長さ、幅、厚みの板状の台に結束機の取り付けによる所定の寸法の切り込みを製作する。（図１）
また、台の表面には、野菜のテープによる結束の位置を定める目盛や、野菜の先端部を板に当て、テープ結束位置を定める定木板を備える。（図２  図３）
【考案の効果】
【０００５】台に取り付け用の切り込みが予め加工されているので、誰にでも簡単に取り付けられる。台の表面と結束テープが平らになるため、野菜が安定し、目盛や定木板の使用により作業能率が向上する。
台に取り付けることにより、持ち運びができ、必要に応じて場所をかえ作業できる。
【考案を実施するための最良の形態】
【０００６】図１は、台２に結束機１の取り付け用切込み２ａと目盛４、さらに野菜の種類により移動、固定の可能な定義板８を取り付けた斜視図。【０００７】図２は、結束機１を台２に取り付けての実施例として、例えば、ネギ３を２箇所結束する場合、数本を台２にのせ、目盛４に根きり部５を合わせて結束位置を定める。予め機より引き出しておいたテープ６を手巻きする。テープはテープ切り７で切る。【０００８】図３は、さらに葉の部分の結束は根きり部５を定義板８に当て位置を定めテープ６を巻く。このように、目盛や定義板を備える事で全ての結束位置が揃う。【０００９】台の材料は木材や金属でも良いが、汚れ落ちと野菜の滑りが良い合成樹脂の形成買加工が最良である。
【図面の簡単な説明】
【００１０】
【図１】結束機の取り付け切り込みと目盛や定木板を備えた台の斜視図。
【図２】ネギの根元部の結束実施図。
【図３】ネギの葉部の結束実施図。
【符号の説明】
【００１１】１      結束機
２      結束機を取り付ける台
２ａ    結束機を取り付ける切込み
３      結束用ネギ
４      ネギの結束位置を定める目盛
５      ネギの根きり部
６      結束テープ
７      テープ切り
８      ネギの葉の部分を結束する位置を定める定義板
【図１】
0003151412.tif 000003
【図２】
0003151412.tif 000004
【図３】
0003151412.tif 000005
【手続補正書】
【提出日】平成21年3月23日(2009.3.23)
【手続補正１】
【補正対象書類名】明細書
【補正対象項目名】０００６
【補正方法】変更
【補正の内容】
【０００６】図１は、台２に結束機１の取り付け用切込み２ａと目盛４、さらに野菜の種類により移動、固定の可能な定木板８を取り付けた斜視図。
【手続補正２】
【補正対象書類名】明細書
【補正対象項目名】０００８
【補正方法】変更
【補正の内容】
【０００８】図３は、さらに葉の部分の結束は根きり部５を定木板８に当て位置を定めテープ６を巻く。
このように、目盛や定木板８を備える事で全ての結束位置が揃う。
【手続補正３】
【補正対象書類名】明細書
【補正対象項目名】００１１
【補正方法】変更
【補正の内容】
【００１１】８    ネギの葉の部分を結束する位置を定める定木板
(57)【要約】      （修正有）【課題】単独で使用可能なアクセサリーを複数個、結合することにより、着用するアクセサリーの装飾性を向上させることができるアクセサリーを提供する。【解決手段】取り付けおよび取り外し可能なアクセサリーは、部材１の主として公的な時間に使用するアクセサリーに、部材２１の環を嵌めて部材２の装飾性を有する鎖と結合し、部材２２によって結合されている部材３の私的な時間に適したアクセサリーとを結合することで、一体化されたアクセサリーを形成する。前記の結合は複数回繰り返すことが可能である。また、部材２１および部材２２の環による結合をそれぞれ解除することにより、部材１および部材３は、単独として使用可能となる。【選択図】図１
0003151418.tif 000002
【実用新案登録請求の範囲】
【請求項１】
主として衣服の上着に着用するアクセサリーにおいて、主として公的な時間に使用しているアクササリー（バッジなど）と、それに加えて私的な時間向きに容易に追加でき、且つそれだけでも使用できるアクセサリーと、それらを結合する装飾性を有する鎖からなるアクセサリー。
【考案の詳細な説明】
【技術分野】
【０００１】本考案は、単独で使用できるアクセサリーを、装飾性を有する鎖によって複数個容易に結合し、時、場所および場合に応じて使い分けられるようにした、装飾アクセサリーに関するものである。
【背景技術】
【０００２】従来、装飾アクセサリーは、単独で使用されることが前提となっており、主として公的な環境で使用するアクセサリーと、私的な環境で使用するアクセサリーは夫々別のアクセサリーであり、それらを結合し、一体化されたアクセサリーに形成する技術は存在していなかった。
【考案の開示】
【考案が解決しようとする課題】
【０００３】本考案は、従来提供されている装飾アクセサリーが、公的な時間に使用するアクセサリー（バッジなど）はそれだけで構成され、所属する団体、例えば政党、法人、組合、あるいは倶楽部などの団体としての象徴的な意味合いをその形状で表現しているものが多く、装飾性が低いと考えられ、私的な時間にそのまま着用するには不適切な場合が多いという課題を解決するものである。
また、単独で使用可能なアクセサリーを複数個容易に結合することにより、着用するアクセサリーの装飾性を容易に向上するという課題を解決するものである。
【課題を解決するための手段】
【０００４】上記課題を解決するため、本考案の請求項１に記載のアクセサリーは、主として公的な時間に使用される装飾アクセサリーに容易に結合できる装飾性を有する鎖と、鎖によって結合され追加されたアクセサリーにより、アクセサリーの装飾性を向上させるものである。
【考案の効果】
【０００５】本考案により、主として公的な時間での装飾アクセサリーをそのまま使用し、私的な時間でのアクセサリーの一部とすることが可能となり、使用者の利便性を向上させることが可能となる。
【実施例】
【０００６】本考案の取り付けおよび取り外し可能なアクセサリーを、図面に示す具体的な実施例にもとづいて説明する。【０００７】図１および図２に示す、本考案による取り付けおよび取り外し可能なアクセサリーは、部材（１）の主として公的な時間に使用するアクセサリーに、部材（２１）の環を嵌めて部材（２）の装飾性を有する鎖と結合し、部材（２２）によって結合されている部材（３）の私的な時間に適したアクセサリーとを結合し、一体化されたアクセサリーを容易に形成することが可能となる。前記の結合は複数回繰り返すことが可能である。また、部材（２１）および部材（２２）の環による結合をそれぞれ解除することにより、部材（１）および部材（３）は、単独として使用可能となる。
【図面の簡単な説明】
【０００８】
【図１】図１は、本考案による取り付けおよび取り外し可能なアクセサリーを二つ結合した場合の正面図である。
【図２】図２は、部材（２）の鎖の正面図である。
【符号の説明】
【０００９】１  主として公的な時間に使用されるアクセサリー
２  結合するのに使用される装飾性を有する鎖
３  主として私的な時間に使用されるアクセサリー
【図１】
0003151418.tif 000003
【図２】
0003151418.tif 000004
【手続補正書】
【提出日】平成21年3月18日(2009.3.18)
【手続補正１】
【補正対象書類名】実用新案登録請求の範囲
【補正対象項目名】全文
【補正方法】変更
【補正の内容】
【実用新案登録請求の範囲】
【請求項１】
主として衣服の上着に着用するアクセサリーにおいて、主として公的な時間に使用している、金属やプラスティック等で作成され、企業や所属する組織団体等のロゴを表し、通常は平板上の形状を持つアクセサリーと、それに直角に接続される、先鋭な形状を持つピンと、そのピンを使用して衣服に装着するために前述のピンを挿入でき、スプリング機構によってそのピンを固定できる通常は金属で作成され、後述の鎖の両端にある輪のひとつを挿入できる受け座から構成されるアクセサリー１と、それに加えて私的な時間向きに後述の鎖を使用して、容易に追加でき、且つそれだけでも使用できる、アクセサリー１と同様な形状及び構造を持つ、アクセサリー２と、それらアクセサリー１及びアクセサリー２を結合するための装飾性を有する、金属等で作成され、前述のピンを挿入するために必要十分な大きさの輪を両端に持つ、鎖から構成されるアクセサリー。
(57)【要約】      （修正有）【課題】プリント基板保持搬送冶具に回転式基板押え冶具を市販ステンレス製ビスで固定した際の、ディップ装置でのフローハンダ工程において、ハンダが反応して団子状に付着し、ハンダの流れを妨げることのない治具固定補助具を提供する。【解決手段】ハンダが反応して付着しないよう耐熱性を備えた樹脂製で、内部にセットスクリュー１を鋳込み、凸部２を形成し、プリント基板保持搬送冶具に回転式基板押え冶具を取り付ける際、空回りしないよう形成したプリント基板保持搬送冶具用回転式基板押え冶具固定補助具２０により、この課題を解決する。【選択図】図１
0003151419.tif 000002
【実用新案登録請求の範囲】
【請求項１】
ハンダが反応して付着しないよう耐熱性を備えた樹脂製で、内部に回転式基板押え冶具を固定するためのセットスクリューを鋳込み、プリント基板保持搬送冶具に回転式基板押え冶具を取り付ける際に空回りしないよう、例えば楕円型に形成された基板保持搬送冶具用回転式基板押え冶具固定補助具。
【考案の詳細な説明】
【技術分野】
【０００１】  本考案は、フロー方式でのプリント基板のハンダ付け工程で、プリント基板をプレート状のプリント基板保持搬送冶具の載置面で受け、回転式基板押え冶具を用いて固定する。その回転式基板押え冶具の取り付けに使用するプリント基板保持搬送冶具用回転式基板押え冶具固定補助具に関する。
【背景技術】
【０００２】  従来、プリント基板をプレート状の保持搬送冶具の納置面に保持し、プリント基板が納置面から外れないよう固定する際、プリント基板の納置面周囲及び上面に回転式基板押え冶具をザグリ加工した載置面で受け、ハンダ層と接触する面及び下面から市販のステンレス製ビスで固定し取り付けていた。
【考案の開示】
【考案が解決しようとする課題】
【０００３】  しかし、前途の従来技術では、ディップ装置でのフローハンダ工程において、繰り返し使用すると貫設したハンダ層と接触する面及び下面に螺設したステンレス製のビスにハンダが反応して、徐々に付着し、団子状になりハンダの流れを妨げていた。
【課題を解決するための手段】
【０００４】  そこで、ハンダが反応して付着しないよう耐熱性を備えた樹脂を使用し、プリント基板保持搬送冶具に回転式基板押え冶具を取り付ける際に空回りしないよう、例えば、楕円型に形成する。また、内部に回転式基板押え冶具を固定するためのセットスクリューを鋳込んだ基板保持搬送冶具用回転式基板押え冶具固定補助具の考案により課題を解決する。
【考案の効果】
【０００５】  よって、本考案により、フロー工程において繰り返し使用しても、ハンダ付着によったハンダの流れを妨げることがなくなる。また、ハンダ層と接触する面にビスの凹部がなくなり、平面になるため、洗浄工程において凹部に入り込んだハンダを落す手間がなくなる。
【考案を実施するための最良の形態】
【０００６】  本考案に係るプリント基板保持搬送冶具用回転式基板押え冶具固定補助具２０は、図１が示すように、耐熱性を備えた樹脂製で、内部にセットスクリュー１を鋳込むため凸部２が形設され、ネジの抜け落ちが防止される。また、図２が示すように、プリント基板保持搬送冶具３に回転式基板押え４を取り付ける際、空回りしないよう例えば楕円状に形成する。
【図面の簡単な説明】
【０００７】
【図１】  本考案の係るプリント基板保持搬送冶具用回転式基板押え冶具固定補助具の断面図である。
【図２】  本考案の係るプリント基板保持搬送冶具用回転式基板押え冶具固定補助具をプリント基板保持搬送冶具及びプリント基板保持搬送冶具用回転式基板押え冶具で使用した状態の断面図である。
【図３】  本考案の係るプリント基板保持搬送冶具用回転式基板押え冶具固定補助具の平面図である。
【図４】  従来のプリント基板保持搬送冶具用回転式基板押え固定補助具をプリント基板でフローハンダ工程において、プリント基板で使用した状態の断面図である。
【符号の説明】
【０００８】      １    セットスクリュー
２    セットスクリュー１を鋳込むことにより形成された凸部
３    プレート状のプリント基板保持搬送冶具
４    回転式基板押え冶具
５    プリント基板
６    ステンレス製ビス
２０    プリント基板保持搬送冶具用回転式基板押え冶具固定補助具
【図１】
0003151419.tif 000003
【図２】
0003151419.tif 000004
【図３】
0003151419.tif 000005
【図４】
0003151419.tif 000006
【手続補正書】
【提出日】平成21年3月10日(2009.3.10)
【手続補正１】
【補正対象書類名】実用新案登録請求の範囲
【補正対象項目名】全文
【補正方法】変更
【補正の内容】
【実用新案登録請求の範囲】
【請求項１】
ハンダが反応して付着しないよう耐熱性を備えた樹脂製で、内部に回転式基板押え冶具を固定するためのセットスクリューを鋳込み、プリント基板保持搬送冶具に回転式基板押え冶具を取り付ける際に空回りを避けるために、ハンダ層と接触する面及び下面の形状が円形以外（例えば、楕円型や六角形等）に形成された基板保持搬送冶具用回転式基板押え冶具固定補助具。
(57)【要約】      （修正有）【課題】郵便物その他の届け物が戸外から郵便受けに入れられた際に、離れた場所に居ても感知できる郵便受けを提供する。【解決手段】郵便受け内部に設けたスイッチ機能と、同一回路内に設ける感知装置で構成したことを特徴とする。郵便物その他の届け物が郵便受けの外側から入れられると、スイッチがＯＮとなり、郵便受けから離れた場所に設置した感知装置が作動して、届けられた事を知る事ができる。【選択図】図１
0003151408.tif 000002
【実用新案登録請求の範囲】
【請求項１】
戸外の郵便受けに、郵便物その他の届け物が外側から入れられた場合、内側の離れた場所でも感知できるようにした郵便受け。
【考案の詳細な説明】
【技術分野】
【０００１】  本考案は、郵便受けに郵便物その他の届け物があった場合、郵便受けから離れたところに居ても感知できるようにした郵便受けに関するものである。
【背景技術】
【０００２】  一般には郵便受けに物が届けられていても、当郵便受け自体を確認しないと分からない難点がある。
【考案の開示】
【考案が解決しようとする課題】
【０００３】  郵便物その他の届け物が戸外から郵便受けに入れられた場合、当郵便受けから離れた場所に居ても感知できるようにして、前述の難点を解決しようとするものである。
【課題を解決するための手段】
【０００４】  本考案は、郵便受けの外側から郵便物などが届けられると、当郵便受け内に設けた感知スイッチと同一回路内に設けた感知装置の働きで、室内など離れたところに居ても、ランプまたはブザーなどで知らせるようにして、前述の課題を解決するものである。
【考案の効果】
【０００５】  上述のように、戸外に設けた郵便受けに郵便物その他の届け物が入れられると、室内など離れたところに居ても感知できるため、適時に郵便受けを確認する必要がなく無駄がない、特に町内会の回覧板などが、夕方急ぐ用件で回って来て郵便受けに入れられていた場合でも、気が付かずに見逃してしまう心配がなくなり非常に便利である。
【考案を実施するための最良の形態】
【０００６】  本考案の感知装置付き郵便受けに郵便物などが届くと、郵便受けの蓋が内側に開かれることで、郵便受け内側に取り付けたマグネットスイッチがＯＮとなり、同じ回路内の室内など離れたところに設置した感知装置が作動して、郵便物などが届いたことを知らせる。また当郵便受けの蓋が閉まるとマグネットスイッチ自体はＯＦＦとなるが、当感知装置は一度電源が入ると保持回路が働いて操作電源はＯＮのままとなり、ランプの点灯またはブザーで知らせ続けるが、郵便物などを取り出す直前、または直後に感知装置内に設けたリセットスイッチのボタンを押すことで、点灯のランプまたはブザーを止めると同時に、当感知装置を初期設定の状態に戻すことができる。
【実施例】
【０００７】  以下、添付図面に従って一実施例を説明する。１は郵便受け本体、２は取り出し口、３は郵便受けの蓋、４は蓋のチョウツガイ、５は郵便受けの蓋の内側に取り付けたマグネットスイッチのオス側、６は郵便受け本体内側に取り付けたメス側、７は郵便受けの取り付け壁、８は作動後に初期設定に戻すリセットスイッチ、ＡとＢはマグネットスイッチの電極端子で、両方がつながるとマグネットスイッチ自体がＯＮとなる。Ｃはリレースイッチの本体、Ｃ１はリレースイッチ本体Ｃ内のスイッチ、Ｄはリレースイッチ本体で操作電源の保持回路用、Ｄ１はリレースイッチ本体Ｄ内のスイッチ、Ｐは郵便受けに郵便物などの届け物が来たことを知らせるパイロットランプまたはブザーである。【０００８】  本考案の一実施例は上記の如き構成から成るものであるから、当感知装置付き郵便受けに郵便物などが届けられると、郵便受けの蓋３が内側に開いてマグネットスイッチのオス側５とメス側６が離れて、電極端子ＡとＢがつながりＯＮとなり、同じ回路内に設置した感知装置のリレースイッチ本体Ｃが作動して、スイッチＣ１がＯＮとなる。続いてリレースイッチ本体ＤのＯＮと共にスイッチＤ１がＯＮとなって、操作電源の保持回路が働き、Ｐのパイロットランプまたはブザーを作動させ続ける。また郵便物などを取り出す直前、または直後に感知装置内に設けたリセットスイッチ８のボタンを押すことで、当感知装置の操作電源が全てＯＦＦとなり初期設定の状態に戻る。尚作動初期にＯＮとなったマグネットスイッチは、郵便受けの蓋が元に閉まった時点でＯＦＦとなる。
【図面の簡単な説明】
【０００９】
【図１】本考案の感知装置付き郵便受けの断面図である。
【図２】当郵便受けの内側一部分に取り付けたマグネットスイッチの一対である。
【図３】本考案の感知装置の電気回路図である。
【符号の説明】
【００１０】１  郵便受け本体
２  取り出し口
３  郵便受けの蓋
４  チョウツガイ
５  マグネットスイッチオス側
６  マグネットスイッチメス側
７  郵便受け取り付け壁
８  リセットスイッチ
Ａ  電極端子
Ｂ  電極端子
Ｃ    リレースイッチ本体
Ｃ１  スイッチ
Ｄ    リレースイッチ本体
Ｄ１  スイッチ
Ｐ    パイロットランプ（ブザー）
【図１】
0003151408.tif 000003
【図２】
0003151408.tif 000004
【図３】
0003151408.tif 000005
【手続補正書】
【提出日】平成21年3月18日(2009.3.18)
【手続補正１】
【補正対象書類名】実用新案登録請求の範囲
【補正対象項目名】全文
【補正方法】変更
【補正の内容】
【実用新案登録請求の範囲】
【請求項１】
郵便受け内部に設けたスイッチ機能と、同一回路内に設ける感知装置で構成したもので、郵便物その他の届け物が郵便受けの外側から入れられると、当スイッチがＯＮとなり郵便受けから離れた場所に設置した感知装置が作動して、届けられた事を知る事が出来るようにした郵便受け。
【手続補正２】
【補正対象書類名】図面
【補正対象項目名】図３
【補正方法】変更
【補正の内容】
【図３】
0003151408.tif 000006
(57)【要約】      （修正有）【課題】掃除シートとビニール手袋を両方を用意する必要がなく、手荒れを防ぎ、簡単にトイレ掃除及び小物等の掃除ができる手袋を提供する。【解決手段】ビニール手袋（薄い物）の内側にハンドクリームをつける。ビニール手袋の外側にトイレ掃除シート又はほこり取りシートを貼り付ける。手荒れを防ぎ、素早く掃除ができ、細かい所のほこりを取り除く事ができる。【選択図】図１
0003151406.tif 000002
【実用新案登録請求の範囲】
【請求項１】
手荒れの気になる方忙しい方に、手荒れを防ぎ、掃除用具を出す手間が省け簡単にご便用頂ける使い捨て掃除用品です。
【考案の詳細な説明】
【考案が解決しようとする課題】
手荒れを防ぎ簡単に手袋だけでトイレ掃除及び細かいところの掃除もスムーズに行えます。手荒れの気になる方にも時間のない方にも使用できる。トイレ及び飾り物等掃除用として提案する。
【課題を解決するための手段】
ビニール手袋の内側（▲１▼）にハンドクリームをつけ、手袋の外側に（▲２▼）に、トイレ掃除シートをつける。
その事により、手荒れを防ぎ即細かいところの掃除が可能になる用品。
【図１】
0003151406.tif 000003
【図２】
0003151406.tif 000004
【手続補正書】
【提出日】平成21年3月9日(2009.3.9)
【手続補正１】
【補正対象書類名】実用新案登録請求の範囲
【補正対象項目名】全文
【補正方法】変更
【補正の内容】
【実用新案登録請求の範囲】
【請求項１】
ビニール手袋の内側にハンドクリームをつけ、手袋の外側にトイレ掃除シート等を付けたことを特徴とする、使い捨て手袋掃除用品。
【手続補正２】
【補正対象書類名】明細書
【補正対象項目名】全文
【補正方法】変更
【補正の内容】
【考案の詳細な説明】
【考案が解決しょうとする課題】
手荒れを防ぎ簡単に手袋だけでトイレ掃除および細かい所の掃除もスムーズに行えます。手荒れの気になる方にも、時間のない方にも使用できる。
トイレ及び飾り物等掃除用とし提案する。
【課題を解決する為の手段】
ビニール手袋の内側（１）にハンドクリームを付け、手袋の外側に（２）に、トイレ掃除シート等を付ける。
その事により、手荒れを防ぎ即細かい所の掃除が可能になる用品。
【図面の簡単な説明】
【図１】  立体図
【図２】  断面図
【符号の説明】Ａ．ビニール手袋
Ｂ．掃除シート等
Ｃ．ハンドクリーム（内側）
【手続補正３】
【補正対象書類名】図面
【補正対象項目名】全図
【補正方法】変更
【補正の内容】
【図１】
0003151406.tif 000005
【図２】
0003151406.tif 000006
(57)【要約】      （修正有）【課題】不動産賃貸業において現金の授受による家賃支払いの場合に利用される賃借人保管用の支払家賃通帳に、切り離し可能な賃貸人用の控えを設け、賃貸人側においても家賃管理の確実化・効率化を可能とする支払家賃通帳を提供する。【解決手段】支払家賃通帳に、切り離し可能とした賃貸人用の控え２を設け、かつ、控えの表面に契約開始以降の支払回数をナンバーリング４をしておき、控えの裏面にはのりしろに簡易式粘着物を付着させる。【選択図】図１
0003151410.tif 000002
【実用新案登録請求の範囲】
【請求項１】
賃貸借契約の家賃の支払を証する領収印を押印するための支払家賃通帳であって、各月の領収書欄に切り離し可能な賃貸人用の控えを設けたことを特徴とする支払家賃手帳
【請求項２】
請求項１の支払家賃通帳において、各月の領収書欄、及び、その欄の切り離し可能な賃貸人用の控えの表面に契約開始以降の支払回数をナンバーリングしておくことを特徴とする支払家賃手帳
【請求項３】
請求項１の支払家賃通帳において、切り離し可能な賃貸人用の控えの裏面に簡易式粘着物（のりしろ）を付着させた支払家賃通帳
【考案の詳細な説明】
【技術分野】
【０００１】  本件考案は、不動産賃貸業において現金の授受による家賃支払いの場合に利用される賃借人保管の支払家賃通帳に関するものである。
【背景技術】
【０００２】  従来の支払家賃通帳は、賃借人の家賃支払時に、家賃受領者である賃借人またはその委託を受けた者が賃借人の持参する同通帳に領収印を押印し賃借人が同通帳をそのまま保管するだけで、家賃受領者において領収書の控えが取れないものしかなかった。
【考案の開示】
【考案が解決しようとする課題】
【０００３】  従来技術においては、賃借人の下には家賃支払いの領収印ある家賃通帳が残るが、支払を受けた家賃受領者においては控えがないため、家賃受領者は支払を受けた事実を記憶を元に帳簿等の別の媒体に記録するしかなかったが、このため、支払の有無、受領金額についての記録の誤りや記入ミス等からトラブルが発生することが多かった。【０００４】  また、家賃受領者は、家賃受領の事実を帳簿等に記録しても、それが賃貸借契約の開始から何度目の支払にあたるか賃貸借契約書を見直さなければ判然とせず、この結果、契約更新の時期を見逃すことが多かった。
【課題を解決するための手段】
【０００５】  支払家賃通帳の各月の領収書欄に、切り取りを容易化するミシン目を入れて切り離し可能とした賃貸人用の控えを設けることにより、家賃受領者は、家賃受領時に領収欄に押印すると同時に、賃貸人用の控えに必要事項を記載して切り取り保管することを可能にする。【０００６】  また、支払家賃通帳の各月の領収書欄、及び、切り離し可能な賃貸人用の控えの表面に契約開始以降の支払回数のナンバーリングしておき、契約開始後何ヶ月目の家賃の支払かを認識可能にしておく。
【考案の効果】
【０００７】  本件の考案により、現金の授受による支払い受けた家賃受領者は、支払家賃通帳から領収書の控えを切り取って保管することができ、これをそのまま帳簿等の別紙に貼付して記録・保管し、支払の有無、受領金額についての記録の誤りや記入ミス等からトラブルを回避することができる。【０００８】  また、家賃受領者は、帳簿等の別紙に貼付するなどして整理された領収書の控えに記載されたナンバーリングを確認することにより、それが賃貸借契約開始から何度目の支払まで完了しているかを賃貸借契約書を見直すことなく容易に確認でき、この結果、契約更新の時期を見逃すことなく更新通知の発送の準備等を行うことができる。【０００９】  領収書の控えを帳簿等の別紙に貼付して整理する作業は、本件控えの裏面に簡易式粘着物（のりしろ）を付着させていることにより簡略化できる。
【考案を実施するための最良の形態】
【００１０】  本件支払家賃通帳は、現金の授受によって家賃の支払いを行う不動産の賃貸借契約において賃借人が保持し、毎月の家賃支払いの度に家賃と共に賃貸人側に持参する。家賃受領者は、家賃を受領して支払家賃通帳の領収書欄に領収印を押印するが、その際、その横に添付されている切り取り可能な控えを必要事項記入のうえ切り保管する。控え切り取り後の支払家賃通帳は賃借人に返還する。【００１１】  家賃受領者は、この控えを家賃受領に関する帳簿等に別紙を設けて貼付するなどして整理し、記録・保管する。
【図面の簡単な説明】
【００１２】
【図１】  本考案の支払家賃手帳の見開図である
【図２】  本考案の支払家賃手帳の斜視図である。
【符号の説明】
【００１３】    １  領収書欄
２  家賃受領者用控え欄
３  切り取り用ミシン目
４  ナンバーリング
５  該当年月
６  物件名
７  契約番号
８  賃借人氏名
９  受領年月日
１０  受領金額
１１  受領印
１２  備考欄（滞納等）
【図１】
0003151410.tif 000003
【図２】
0003151410.tif 000004
【手続補正書】
【提出日】平成21年3月23日(2009.3.23)
【手続補正１】
【補正対象書類名】実用新案登録請求の範囲
【補正対象項目名】請求項３
【補正方法】変更
【補正の内容】
【請求項３】
請求項１の支払家賃通帳において、切り離し可能な賃貸人用の控えの裏面に簡易式粘着物を付着させた支払家賃通帳
(57)【要約】      （修正有）【課題】エンジンの点火の際、吸気口に取付けて混合ガスの濃度を高め、エンジンの点火を補うガソリンエンジン用吸気口密閉栓を提供する。【解決手段】スクータ、バイクなどのエアークリーナ部にある吸気口の形状に合わせた凸状部分と、それを手で持つ事のできる板状部分とを設ける。素材はゴムが最良である。使用に当たっては、吸気口密閉栓をスクータ、バイクなどの吸気口に取付け、エンジンを点火できる状態にする。次に、エンジンのスタートボタンを押しセルモーターを回転させる。エンジンのシリンダー動作により、キャブレターから高濃度の混合ガスがシリンダーに入り、エンジンの点火が容易となる。エンジンがアイドリング状態になったら、板状部分を持ち、吸気口密閉栓を取り外す。【選択図】図３
0003151430.tif 000002
【実用新案登録請求の範囲】
【請求項１】
スクーター・バイク等のエンジン点火の補助として、吸気口をその形状に合わせた密閉栓を用い、密閉することにより混合ガスの濃度を高めエンジンの点火を補う密閉栓である。
【考案の詳細な説明】
【技術分野】
【０００１】  本考案は、密閉栓と取っ手から成るものであり、エンジンの点火の際、吸気口に取付け混合ガスの濃度を高めエンジンの点火を補うものである。
【背景技術】
【０００２】  スクーター・バイク等のエンジンは、経年劣化によりエンジンのかかりが悪くなり、最終的に廃棄する結果となるか又は、多額の修理費用を必要としていた。
【考案の開示】
【考案が解決しようとする課題】
【０００３】  スクーター・バイク等で経年劣化（内燃機関の故障を除く）が進むとエンジンのかかりが悪くなる。それは、点火の際に高濃度の混合ガスを必要とする為であり、吸気口を密閉することによりエンジンの点火に役立っている。取付け、取外しも簡単にできるので前途の欠点を解決しようとするものである。
【課題を解決するための手段】
【０００４】  本考案は、スクーター・バイク等の吸気口に簡単に付け外しできる密閉栓を取付けることでエンジン点火に必要な高濃度の混合ガスを作り問題を解決している。
【考案の効果】
【０００５】  上述の様に、考案のガソリンエンジン用吸気口密閉栓を吸気口に取付けることでエンジンの点火を容易にし、経年劣化したスクーター・バイク等の点火に役立っている。
【考案を実施するための最良の形態】
【０００６】  吸気口密閉栓を吸気口に取付け、スクーター・バイク等のエンジンを点火できる状態にする。次に、エンジンのスタートボタンを押しセルモーターを回転させる。そこで、エンジンのシリンダー動作により、キャブレターから高濃度の混合ガスがシリンダーに入り、エンジンの点火が容易となる。なお、素材はゴムが最良である。
【実施例】
【０００７】  以下、添付図面に従って実施例を説明する。１及び２は、密閉栓の一体化された本体である。１の密閉栓を吸気口に取付けエンジンをスタートさせる。エンジンがアイドリング状態（点火数秒後）になったら、２の取っ手部分を持ち吸気口密閉栓を取り外す。【０００８】  本考案の実施例は、上述の如き構成からなるものであり、図４に示すようにスクーター・バイク等のエンジン点火の際に用いられる。
【図面の簡単な説明】
【０００９】
【図１】本考案の正面図
【図２】本考案の側面図
【図３】本考案の立面図
【図４】実施例図
【符号の説明】
【００１０】１  密閉栓
２  取っ手
【図１】
0003151430.tif 000003
【図２】
0003151430.tif 000004
【図３】
0003151430.tif 000005
【図４】
0003151430.tif 000006
【手続補正書】
【提出日】平成21年3月23日(2009.3.23)
【手続補正１】
【補正対象書類名】実用新案登録請求の範囲
【補正対象項目名】全文
【補正方法】変更
【補正の内容】
【実用新案登録請求の範囲】
【請求項１】
スクーター・バイク等の、エアクリーナ部にある吸気口の形状に合わせた凸状部分とそれを持つ板状部分とを設けたガソリンエンジン用吸気口密閉栓。
(57)【要約】      （修正有）【課題】ワイヤーハンガーの軟弱体を２本連結使用により丈夫に幅広く使用できるワイヤーハンガー連結板を提供する。【解決手段】四隅に各面平行にワイヤーハンガー径より少々高めの凸部を持った基板に、押さえ部品により各凸部側面にワイヤーハンガー径より少々太めの隙間を持ったトンネル状態を平行に構成したことを特徴をする。【選択図】図５
0003151427.tif 000002
【実用新案登録請求の範囲】
【請求項１】
２本のワイヤーハンガーを平行位置で、各各が倒、立可動がフリー状態に保持したままハンガーを２本使い又は１本使いが可能としたことを特徴とするワイヤーハンガー連結板。
【考案の詳細な説明】
【技術分野】
【０００１】  本考案はワイヤーハンガーを２本組として使うことにより、より丈夫に、型くずれしにくい幅広のハンガーを構成するための、連結板に関するものである。
【背景技術】
【０００２】  通常のワイヤーハンガーは細く軟弱構造で、薄く軽い物へ多く使われている。
よって使用範囲が狭いため、死蔵されがちとなる。
【考案の開示】
【考案が解決しようとする課題】
【０００３】  一般的にワイヤーハンガーは強度的、形状的な面から薄物に使われ利用範囲がかぎられる欠点がある。そこで特別連結板による二連構造により強度も普通ハンガーにちかく、また一連でも使えるようにすることで、より広く利用可能とするものである。
【課題を解決するための手段】
【０００４】  ２本のワイヤーハンガーを連結基板に平行状態にて、しかもフック部が各各倒、立可動がフリー状態を維持し、使用時にワイヤーハンガーが外れないよう押さえ部品で固定する。使用方法は２本使いの時はフック部を交差する状態に吊るし棒等に掛け１本使いの時は普通に１本を吊るし棒等に掛けることで幅広い利用方法を達成するものである。
【考案の効果】
【０００５】  クリーニング返り等を含め家庭に放置しがち又は廃棄ゴミ処理しがちのハンガーを簡単、安価に利用幅を広げた形で再利用できる。
このハンガーの使用効果例として、重い物も可、幅広ハンガー状で型くずれ防止薄物の乾燥性ＵＰ等が得られる。
【考案の実施するための最良の形態】
【０００６】  ハンガー連結基板と押さえ部品はハンガーをセットしてからネジ等で固定する形で目的は達せられる。しかしより簡便な形としてポリプロピレン等樹脂成型により押さえ部品も一体成型として押さえ部に相当する一部に爪を設け、一方基板には爪の入る位置にセット穴を設けパチンとワンタッチで押し込みとすることが好ましい。
【実施例】
【０００７】  添付図に従って実施例を説明する。１はワイヤーハンガー連結板、２はハンガー押さえ部品、３は基板と押さえ部品を固定するネジ、４はワイヤーハンガーでハンガー肩部を基板にセットし２本使い時は交差状態に吊るし棒に掛ける、５は吊るし棒、６は樹脂成型一体化したときの連結板
【図面の簡単な説明】
【０００８】
【図１】  連結板と押さえ部品固定時の平面図
【図２】  連結板と押さえ部品固定時の側面図
【図３】  樹脂成型一体化の場合の連結板平面図
【図４】  樹脂成型一体化の場合の連結板側面図
【図５】  本考案のハンガーセット時の連結板平面図
【図６】  本考案の２本掛け使用例を示す側面図
【符号の説明】
【０００９】１  ワイヤーハンガー連結板基板
２  ワイヤーハンガー押さえ部品
３  押さえ部品固定用ネジ
４  ワイヤーハンガー
５  吊るし棒
６  樹脂成型一体化の場合の連結板
【図１】
0003151427.tif 000003
【図２】
0003151427.tif 000004
【図３】
0003151427.tif 000005
【図４】
0003151427.tif 000006
【図５】
0003151427.tif 000007
【図６】
0003151427.tif 000008
【手続補正書】
【提出日】平成21年3月19日(2009.3.19)
【手続補正１】
【補正対象書類名】実用新案登録請求の範囲
【補正対象項目名】全文
【補正方法】変更
【補正の内容】
【実用新案登録請求の範囲】
【請求項１】
四隅に各面平行にワイヤーハンガー径より少々高めの凸部を持った基板に、押さえ部品により各凸部側面にワイヤーハンガー径より少々太めの隙間を持ったトンネル状態を平行に構成したことを特徴としたワイヤーハンガー連結板。